【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
ａ）式（Ｉ）
【化１】
2006508224.tif 000001
（式中、
Ｒ1は水素原子又はメチル基を表し、
Ｒ2は水素原子又は炭素原子数１ないし４のアルキル基を表し、
Ｒ3は炭素原子数１ないし４のアルキレン基を表し、
Ｒ4、Ｒ5及びＲ6は、互いに独立して水素原子又は炭素原子数１ないし４のアルキル基を
表し、
Ｘは−Ｏ−又は−ＮＨ−を表し、及び
ＹはＣｌ；Ｂｒ；Ｉ；硫酸水素塩又はメト硫酸塩を表す。）
で表される少なくとも１種のモノマー、
ｂ）及び／又は少なくとも１種の非イオン性モノマー、
ｃ）成分ａ）の質量の０ないし５０ｐｐｍの量の少なくとも１種の架橋剤及び
ｄ）所望により少なくとも１種の連鎖移動剤、
の重合から形成される、１０μｍより大きい粒径を有する少なくとも１種のポリマーを含む水性組成物であるが、但し、（ｉ）前記ポリマーがカチオン性ホモポリマーである場合、前記架橋剤の量は常に０ｐｐｍより多く及び５０ｐｐｍより少ないところの水性組成物。
【請求項２】
前記成分ａ）の非イオン性モノマー（群）は、Ｎ−ビニルピロリドン及び／又は式（ＩＩ）
【化２】
2006508224.tif 000002
（式中、
Ｒ7は水素原子又はメチル基を表し、
Ｒ8は水素原子又は炭素原子数１ないし４のアルキル基を表し、及び
Ｒ9及びＲ10は互いに独立して水素原子又は炭素原子数１ないし４のアルキル基を表す。
）
で表される化合物である請求項１記載の水性組成物。
【請求項３】
前記組成物の総質量に基づき、少なくとも１種のコポリマー０．００５ないし１５質量％、好ましくは０．０１ないし１０質量％を含む水性組成物であって、前記コポリマーは、ａ）前記コポリマーの総質量に基づき、５０ないし９５質量％の式（Ｉａ）
【化３】
2006508224.tif 000003
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、
ｂ）前記コポリマーの総質量に基づき、５ないし５０質量％の式（ＩＩａ）
【化４】
2006508224.tif 000004
（式中、
Ｒ7は水素原子又はメチル基を表し、及び
Ｒ8は水素原子；メチル基又はエチル基を表す。）
で表される少なくとも１種のモノマー、
ｃ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ'−メチレン−ビスアクリルアミド及びポリオールポリアリルエーテルから選択
される少なくとも１種の架橋剤、
ｄ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸、乳酸；ギ酸；イソプロパノール及び次亜リン酸塩から選択される少なくとも１種の連鎖移動剤、
の重合から形成されるところの請求項１又は２記載の水性組成物。
【請求項４】
硬質表面洗浄組成物であって、
（ｉ）前記組成物の総質量に基づき、請求項１ないし３のうちいずれか１項に定義されたとおりの少なくとも１種のポリマー０．００５ないし１５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む硬質表面洗浄組成物。
【請求項５】
硬質表面洗浄組成物であって、
（ｉ）
ａ）式（Ｉａ）
【化５】
2006508224.tif 000005
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、
ｂ）０ないし５０ｐｐｍ（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ'−メチレン−ビスアクリルアミド及びポリオールポリアリルエーテルから選択され
る少なくとも１種の架橋剤であるが、但し、（ｉ）前記ポリマーがホモポリマーである場合、前記架橋剤の量は常に０ｐｐｍより多く及び５０ｐｐｍより少ないところの架橋剤、ｃ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸、乳酸；ギ酸；イソプロパノール及び次亜リン酸塩から選択される少なくとも１種の連鎖移動剤
の重合から形成される少なくとも１種のホモポリマー及び／又はコポリマー、前記組成物の総質量に基づき、０．００５ないし１５質量％、好ましくは０．０１ないし１０質量％（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量
％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む請求項４記載の硬質表面洗浄組成物。
【請求項６】
硬質表面洗浄組成物であって、
（ｉ）
ａ）式（ＩＩａ）
【化６】
2006508224.tif 000006
（式中、
Ｒ7は水素原子又はメチル基を表し、
Ｒ8は水素原子；メチル基又はエチル基を表す。）
で表される少なくとも１種のモノマー、
ｂ）０ないし５０ｐｐｍ（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ'−メチレン−ビスアクリルアミド及びポリオールポリアリルエーテルから選択され
る少なくとも１種の架橋剤、及び
ｃ）所望により、（成分ａ）に基づき）０ないし１０００ｐｐｍ、好ましくは０ないし５００ｐｐｍ、より好ましくは０ないし３００ｐｐｍの量の、メルカプタン；リンゴ酸、乳酸；ギ酸；イソプロパノール及び次亜リン酸塩から選択される少なくとも１種の連鎖移動剤
の重合から形成される少なくとも１種のホモポリマー及び／又はコポリマー、前記組成物の総質量に基づき、０．００５ないし１５質量％、好ましくは０．０１ないし１０質量％（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む請求項４記載の硬質表面洗浄組成物。
【請求項７】
硬質表面洗浄組成物であって、
（ｉ）少なくとも１種のコポリマーであって、
ａ）前記コポリマーに基づき５０ないし９５質量％の式（Ｉａ）
【化７】
2006508224.tif 000007
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、並びに
ｂ）前記コポリマーに基づき５ないし５０質量％の式（ＩＩａ）
【化８】
2006508224.tif 000008
（式中、
Ｒ7は水素原子又はメチル基を表し、
Ｒ8は水素原子；メチル基又はエチル基を表す。）
で表される少なくとも１種のモノマー、
ｃ）０ないし５０ｐｐｍ（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ'−メチレン−ビスアクリルアミド及びポリオールポリアリルエーテルから選択され
る少なくとも１種の架橋剤、
ｄ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸、乳酸；ギ酸；イソプロパノール及び次亜リン酸塩から選択される少なくとも１種の連鎖移動剤
の重合から形成される少なくとも１種のコポリマー、前記組成物の総質量に基づき、０．００５ないし１５質量％、好ましくは０．０１ないし１０質量％
（ｉｉ）少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）少なくとも１種のアルコール０ないし５０質量％、
（ｉｖ）洗浄組成物のための典型的な成分０ないし５０質量％、
（ｖ）少なくとも１種の酸０ないし５０質量％、及び
（ｖｉ）水道水又は脱イオン水１００質量％まで、
を含む請求項４記載の硬質表面洗浄組成物。